(57)【要約】【課題】  様々な太さの同軸ケーブルの編組外部導体を部品を変えることなくグランドコンタクトに接続できる同軸ケーブル用コネクタの提供。【解決手段】  同軸ケーブル500の編組外部導体532とコネクタのグランドコンタクト150とを中継接続する中継コンタクト１を設け、中継コンタクト１には編組外部導体532と半田付けされる半田付け部２と、グランドコンタクト150と圧接接続される被接続部３とを設け、半田付け部２は、同軸ケーブルの軸方向で見た断面が略Ｌ字形になるような２面を持たせ、この２面内側と編組外部導体532の間を半田付けするようにする。これにより様々な径の同軸ケーブルに対応できる。【選択図】        図１
2006310099.tif 000002
【特許請求の範囲】
【請求項１】
同軸ケーブルと接続されるコネクタであって、同軸ケーブルの中心導体と圧接接続する信号コンタクトと、同軸ケーブルの編組外部導体と中継コンタクトを介して圧接接続するグランドコンタクトがハウジングに保持され、前記中継コンタクトは、同軸ケーブルの軸方向で見た断面が略Ｌ字形となる２面を有して、同軸ケーブルの編組外部導体と半田付けされる半田付け部と前記グランドコンタクトに圧接接続される被接続部とを有することを特徴とする同軸ケーブル用コネクタ。
【請求項２】
前記中継コンタクトの半田付け部の略Ｌ字形に折れ曲った２つの面の両方又はいずれか一方の面に半田付け状態を確認するための確認部を有することを特徴とする請求項１記載の同軸ケーブル用コネクタ。
【請求項３】
請求項１又は請求項２の構成に加えて、編組外部導体に中継コンタクトが半田付けされた同軸ケーブルを保持する保持部を有するシェルがハウジングに固定されていることを特徴とする同軸ケーブル用コネクタ。
【発明の詳細な説明】
【技術分野】
【０００１】
本発明は、様々な外径の同軸ケーブルの編組外部導体を容易にグランドコンタクトに接続できる同軸ケーブル用コネクタの技術分野に属する。
【背景技術】
【０００２】
図４は従来の同軸ケーブル用コネクタ１００の斜視図である。
（ａ）は、同軸ケーブルが接続固定された状態の外観斜視図であり、下方に嵌合相手方となるレセプタクル型コネクタ２００が示されている。
（ｂ）は（ａ）のベースインシュレータ１１０内に保持されているグランドコンタクト１５０およびシグナルコンタクト１４０の相対配置と、これらに嵌合するレセプタクル型コネクタ２００のレセプタクル側シグナルコンタクト２１０およびレセプタクル側グランドコンタクト２２０の斜視図である。
（ｃ）は（ｂ）のシグナルコンタクト１４０およびグランドコンタクト１５０に同軸ケーブル５００の中心導体５１０およびドレイン線５３１がドレイン線接続部材１６０を介して接続された状況の斜視図である。
【０００３】
中心導体５１０の接続は同軸ケーブル５００の外部被覆５４０および外部導体５３０を除去し内部被覆５２０がついたままシグナルコンタクト１４０のＹ字形切れ込み部に押し入れることにより内部被覆が切れて中心導体５１０がシグナルコンタクト１４０と圧接接続されるというものである。
他方、外部導体５３０は、これと密着しているドレイン線５３１をドレイン線接続部材１６０に圧着し、ドレイン線接続部材１６０のグランド接続部１６３をグランドコンタクト１５０の右上部のＹ字形切れ込み部に押し込むことによって圧接接続されている。
【０００４】
図５は同軸ケーブル５００にドレイン線接続部材１６０を取り付ける手順を示す図である。
（ａ）は同軸ケーブル５００の上端部分の外部被覆５４０と外部導体５３０を除去してドレイン線５３１と内部被覆５２０に被覆された状態の中心導体５１０を取り出して、まず中心導体の方は横方向に曲げてよけておき、ドレイン線５３１をドレイン線接続部材１６０のドレイン線圧着部１６１へあてがう所を示しており、（ｂ）はドレイン線圧着部１６１の両側からドレイン線５３１を加締めた状態を示している。そして、同軸ケーブル５００を左側の円弧矢印に沿って上へ折り曲げると（ｃ）のようになり、同軸ケーブル５００の外部被覆５４０部分をドレイン線接続部材１６０のケーブル固定部１６２で両側から巻き付けることによってドレイン線接続部材１６０を同軸ケーブル５００に固定している。
なお、連結保持部１７０は同軸ケーブル５００への取付けの際切除される。
そして、ドレイン線接続部材１６０のクランク部分のグランド接続部１６３が、図４の（ｃ）に示すようにグランドコンタクト１５０のＹ字形切れ込み部へ圧入されることになる（例えば、特許文献１参照）。
【０００５】
図６は、同軸ケーブルの編組外部導体５３２とグランドコンタクトを中継接続する他の例である。
（ａ）は中継コンタクト１６５の斜視図であり、（ｂ）は中継コンタクト１６５のＵ字部分に、同軸ケーブル５００の外部被覆５４０を除去して編組外部導体５３２が露出した部分を置いて加締め部１６６，１６６を両側から巻き付け加締めた状態を示す図である。
Ｕ字部分内面側には低融点接合材が塗布されており、加締め後の良好な導電接続を確保している（例えば、特許文献２参照）。
そして、グランド接続部１６４を図５のグランド接続部１６３のように折り曲げて図４のグランドコンタクト１５０のＹ字形切れ込み部に押し入れることにより電気的接続を得ている。
【特許文献１】特開２００２−３２４６３２号公報（図１，図３）
【特許文献２】特開２０００−５８１５３号公報（[００１９]、[００２０]、図１）
【発明の開示】
【発明が解決しようとする課題】
【０００６】
上記従来技術においては、ドレイン線接続部材１６０は、ケーブル固定部１６２で同軸ケーブル５００を抱えることにより同軸ケーブル５００に固定されており、中継コンタクト１６５も加締め部１６６で同軸ケーブル５００を抱えることにより同軸ケーブル５００に固定されている。
従って、同軸ケーブル５００の太さが変わると、その直径寸法に適合する寸法のケーブル固定部１６２を有するドレイン接続部材や、適合する寸法の加締め部１６６を有する中継コンタクト１６５を選択しなければならないという問題があった。
【０００７】
上記問題点に鑑みて、本発明は、１種類で同軸ケーブルの種々の太さに対応し得る中継コンタクトを有する同軸ケーブル用コネクタを提供することを課題とするものである。
【課題を解決するための手段】
【０００８】
本発明は、上記の課題を解決するために以下の各手段構成を有する。
本発明の第１の構成（基本構成）は、同軸ケーブルと接続されるコネクタであって、同軸ケーブルの中心導体と圧接接続する信号コンタクトと、同軸ケーブルの編組外部導体と中継コンタクトを介して圧接接続するグランドコンタクトがハウジングに保持され、前記中継コンタクトは、同軸ケーブルの軸方向で見た断面が略Ｌ字形となる２面を有して、同軸ケーブルの編組外部導体と半田付けされる半田付け部と前記グランドコンタクトに圧接接続される被接続部とを有することを特徴とする同軸ケーブル用コネクタである。
【０００９】
本発明の第２の構成は、前記第１の構成において、前記中継コンタクトの半田付け部の略Ｌ字形に折れ曲った２つの面の両方又はいずれか一方の面に半田付け状態を確認するための確認部を有することを特徴とする同軸ケーブル用コネクタである。
【００１０】
本発明の第３の構成は、前記第１の構成又は第２の構成に加えて、編組外部導体に中継コンタクトが半田付けされた同軸ケーブルを保持する保持部を有するシェルがハウジングに固定されていることを特徴とする同軸ケーブル用コネクタである。
【発明の効果】
【００１１】
本発明第１の構成（基本構成）においては、中継コンタクトの半田付け部が、同軸ケーブルの軸方向での断面が略Ｌ字形となる２面を有しており、この部分に、外部被覆を除去して編組外部導体が露出した部分を沿わせて半田付けするようになっているので、１種類の中継コンタクトで様々な外径のケーブルに対応でき、コストダウンが図れ、且つ、ケーブルの直径サイズに合わせて選択する必要がないため誤組立ての発生ということがなく生産性の向上を図ることができるという利点がある。
【００１２】
第２の構成においては、半田付けの確認部を有するので、ここから半田付けの状態の確認ができ、半田付け不充分な製品の発生を防止でき、品質の信頼性を高めることができるという利点がある。
【００１３】
第３の構成においては、同軸ケーブルがハウジングに固定されたシェルの保持部で保持されているので、同軸ケーブルに外部から力が作用してもこの力は、保持部で受け止められ、ケーブル中心導体の信号コンタクトとの圧接接続部分や、中継コンタクトとケーブルの編組外部導体との半田付け部分に直接かからず、ケーブルとコネクタのコンタクトとの接続の信頼性が確保できるという利点がある。
【発明を実施するための最良の形態】
【００１４】
中継コンタクトの半田付け部は、半田付けする同軸ケーブルの軸方向で見た場合の断面が略Ｌ字形の２面を有する形状であるが、２面のコーナは、円弧状にするのが半田の廻り具合から見て最良である。
また、半田付けの良否を見分けるための確認部を設けることが最良である。
【実施例１】
【００１５】
以下、本発明の実施例を図面を参照して説明する。
図１は本発明、同軸ケーブル用コネクタの実施例の構造図である。
（ａ）は、同軸ケーブル５００の下方部で、外部被覆５４０と編組外部導体５３２を除去した部分をコネクタのシグナルコンタクト１４０のＹ字切れ込み部４へ押し入れた状態を示している。中継コンタクト１やグランドコンタクト１５０は省略されている。押し入れたことにより内部被覆５２０が切れて中心導体５１０がシグナルコンタクト１４０の切れ込み部で挟まれ圧接接続状態となる。
【００１６】
（ｂ）はシグナルコンタクト１４０を省略して、グランドコンタクト１５０との接続を示している。編組外部導体５３２が露出している部分の向う側に中継コンタクト１が配置され、その半田付け部２と編組外部導体５３２との間を半田付けする。中継コンタクト１の下方右側から突出して下方へ下り、次いで水平方向に曲った後、再び下方へ下る部分があり、水平方向部分が被接続部３であり、Ｙ字切れ込み部５に挟まれるように押し込まれてグランドコンタクト１５０との圧接接続が得られている。
また、半田付け部２の左側真中辺に半田付け状態を確認するための確認用切り込み６が設けられている。
【００１７】
（ｃ）は（ｂ）の図からグランドコンタクト１５０を除去して下方から見上げた図である。同軸ケーブル５００と中継コンタクト１の半田付け部２との間は半田７によって接続されている。そして被接続部３が（ｂ）のＹ字切れ込み部５に押し入れられることになる。
【００１８】
（ｄ）は（ｃ）よりも細い同軸ケーブルの場合を示したものである。この場合半田の量を多くして、細い同軸ケーブルが半田付け部２に寄り過ぎて偏心しないようにしている。
【００１９】
このように、本発明コネクタにおける中継コンタクト１は、略Ｌ字形に曲った２面で同軸ケーブル５００の編組外部導体５３２と半田付けされるようになっているので、様々の直径の同軸ケーブルに対応できる。
【００２０】
（ｅ）は、ベースインシュレータ１１０に保持固定されたシングルコンタクト１４０に同軸ケーブル５００の中心導体が圧接接続され、グランドコンタクト１５０に中継コンタクト１の被接続部３が圧接接続された状態に対しカバーインシュレータ１２０で押え、これに同軸ケーブル５００を上方で保持したシェル１３０を被せた状態の一部破断図である。
【００２１】
図２は、図１の（ｅ）の同軸ケーブル用コネクタの外観斜視図（ａ）と嵌合相手方のレセプラクル型コネクタ２００の一部破断図（ｂ）である。同軸ケーブル用コネクタのシグナルコンタクト１４０およびグランドコンタクト１５０と、レセプタクル側シグナルコンタクト２１０およびレセプタクル側グランドコンタクト２２０の嵌合は図４の（ｂ），（ｃ）と同様である。
【００２２】
図３は、同軸ケーブル５００の編組外部導体５３２へ中継コンタクト１を半田付けする仕方の例を示す図である。同軸ケーブル５００および中継コンタクト１をそれぞれ、受台９に設けられたケーブル固定用溝１０および中継コンタクト固定用溝１３に嵌め込み固定して半田付け部２へ半田を流し、編組外部導体５３２と半田付け部２を半田付けする。これにより編組外部導体５３２の露出している同軸ケーブルと中継コンタクト１との位置関係が固定される。また、半田付けの状態は、中継コンタクトの確認用切り込み６から確認される。
【図面の簡単な説明】
【００２３】
【図１】本発明同軸ケーブル用コネクタの実施例の構造図である。
【図２】図１の（ｅ）の同軸ケーブル用コネクタの外観斜視図と嵌合相手方のレセプタクル型コネクタの一部破断斜視図である。
【図３】同軸ケーブルの編組外部導体へ中継コンタクトを半田付ける仕方の例を示す図である。
【図４】従来の同軸ケーブル用コネクタの斜視図である。
【図５】同軸ケーブルにドレイン線接続部材を取り付ける従来の手順を示す図である。
【図６】同軸ケーブルの編組外部導体とグランドコンタクトを中継接続する従来の他の例を示す図である。
【符号の説明】
【００２４】
１  中継コンタクト
２  半田付け部
３  被接続部
４，５  Ｙ字切れ込み部
６  確認用切り込み
７  半田
８  ケーブル保持部
９  受台
１０  ケーブル固定用溝
１１  キャリア
１２  中継コンタクト位置決め穴
１３  中継コンタクト固定用溝
１００  同軸ケーブル用コネクタ
１１０  ベースインシュレータ
１２０  カバーインシュレータ
１３０  シェル
１４０  シグナルコンタクト
１５０  グランドコンタクト
１６０  ドレイン線接続部材
１６１  ドレイン線圧着部
１６２  ケーブル固定部
１６３，１６４  グランド接続部
１６５  中継コンタクト
１６６  加締め部
１７０  連結保持部
２００  レセプタクル型コネクタ
２１０  レセプラクル側シグナルコンタクト
２２０  レセプラクル側グランドコンタクト
２３０  レセプラクル側インシュレータ
５００  同軸ケーブル
５１０  中心導体
５２０  内部被覆
５３０  外部導体
５３１  ドレイン線
５３２  編組外部導体
５４０  外部被覆
【図１】
2006310099.tif 000003
【図２】
2006310099.tif 000004
【図３】
2006310099.tif 000005
【図４】
2006310099.tif 000006
【図５】
2006310099.tif 000007
【図６】
2006310099.tif 000008